(57)【要約】  色再現性を改善し、視認性を向上させた映像表示装置を得るため、カラー画像を表す入力側の色データの彩度を調整して、前記色データに対応する色データを出力する彩度調整部と、彩度調整された前記色データに基づいて画像を表示する画像表示手段と、画像表示手段の周囲光の明るさおよび色を検出し、検出結果を表す周囲光データとして画像表示手段の周囲光の赤、緑、青の３色の色相における各成分の大きさを表すデータを出力する周囲光検出手段を有し、周囲光検出手段の出力から周囲光に対する補正値を生成する周囲光補正部を備え、周囲光補正部は、周囲光の色相を赤、イエロー、緑、シアン、青、マゼンタの６色の色相に拡張する算出を行い、算出した結果から画像表示手段の周囲光に対する周囲光補正値を演算および出力する機能を備え、彩度調整部は、周囲光補正値に基づいて入力側の色データの彩度を調整する。
2015114852.tif 000002
【特許請求の範囲】
【請求項１】
カラー画像を表す入力側の色データの彩度を調整して、前記色データに対応する色データを出力する彩度調整部と、彩度調整された色データに基づいて画像を表示する画像表示手段と、前記画像表示手段の周囲光の明るさおよび色を検出し、検出結果を表す周囲光データとして前記画像表示手段の周囲光の赤、緑、青の３色の色相における各成分の大きさを表すデータを出力する周囲光検出手段を有し、前記周囲光検出手段の出力から周囲光に対する補正値を生成する周囲光補正部を備え、前記周囲光補正部は、周囲光の色相を赤、イエロー、緑、シアン、青、マゼンタの６色の色相に拡張する算出を行うとともに、算出した結果から前記画像表示手段の周囲光に対する周囲光補正値を演算および出力する機能を備え、前記彩度調整部は、前記周囲光補正値に基づいて前記入力側の色データの彩度を調整することを特徴とする画像表示装置。
【請求項２】
カラー画像を表す入力側の色データの彩度を調整して、前記色データに対応する色データを出力する彩度調整部と、彩度調整された色データに基づいて画像を表示する画像表示手段と、前記画像表示手段の周囲光の明るさおよび色を検出し、検出結果を表す周囲光データとして、前記画像表示手段の周囲光の赤、緑、青の３色の色相における各成分の大きさを表すデータを出力する周囲光検出手段を有し、前記周囲光検出手段から周囲光に対する補正値を出力する周囲光補正部を備え、前記周囲光補正部は、前記周囲光データと基準光データの値を比較して比較データを算出するとともに、算出した結果から前記画像表示手段の周囲光に対する周囲光補正値を演算および出力する機能を備え、前記彩度調整部は、前記周囲光補正値に基づいて前記入力側の色データの彩度を調整することを特徴とする画像表示装置。
【請求項３】
前記周囲光補正部は、前記周囲光が明るくなるに従って前記補正値をより大きいものにすることを特徴とする請求項１または２に記載の画像表示装置。
【請求項４】
前記周囲光補正部は、前記入力側の色データの彩度が大きくなるに従って前記補正値を小さいものにすることを特徴とする請求項１また２に記載の画像表示装置。
【請求項５】
前記周囲光補正部は、前記入力側の色データの明度が大きくなるに従って前記補正値を小さいものにすることを特徴とする請求項１または２に記載の画像表示装置。  
【発明の詳細な説明】
【技術分野】
【０００１】
この発明は、モニタやプロジェクタ等のカラー画像を表示する画像表示装置に対し、特にさまざまな周囲光が存在する環境下で使用される画像表示装置に関するものである。
【背景技術】
【０００２】
下記の先行技術文献には、赤、緑、青の３色のカラーセンサから、周囲光における赤、緑、青の色成分の大きさを検出し、周囲光に対応した色変換を行うことで、無彩色の階調能力の低下や明るい周囲光下における表示明度の低下を生じることなく、様々な周囲光が存在する環境下での色再現性を改善し、視認性を向上させることができることが開示されている。
【先行技術文献】
【特許文献】
【０００３】
【特許文献１】特開２００６−２４３４５４号公報
【発明の概要】
【発明が解決しようとする課題】
【０００４】
特許文献１に示されたものは、周囲光の色成分を赤、緑、青の３色のカラーセンサから、周囲光における赤、緑、青の色成分の大きさを検出し色変換を行う一方、周囲光の色成分は赤、緑、青の３つのみであり、周囲光色の詳細な検知や補正には３つの色成分では不足していた。【０００５】
本発明は、上記の問題に鑑みてなされたものであり、周囲光から得られた色空間を算術計算により赤、イエロー、緑、シアン、青、マゼンタの６色の色空間に拡張することで、より精度の高い周囲光検出手段を提供することが課題である。本発明の画像表示装置によれば、周囲光の色成分をより詳細に検出することが可能となり、より適切な彩度調整を行うことができる。特に明るい周囲光が存在する環境や周囲光の色変化が大きい環境下において、鑑賞者にとってコントラストの大きい、視認性の良い画像を提供することが可能となる。【０００６】
特許文献１の画像表示装置においては、周囲光の色変化が大きい場合には有効であるが、色補正の自由度が低いと同時に、周囲光色の変化量が小さい場合は、周囲光色の細かな色変化を捉えることが出来なかった。
画像表示装置の周囲光は、多くの場合において白色光である。また、色変化がある場合でも、周囲光の色変化は色温度の変化に留まることが通常である。本発明では、あらかじめ周囲光の色変化を色温度変化のみに限定し、周囲光検出手段から得られた赤、緑、青色成分の比の変化を検出することで、周囲光の色温度を算出し、算出結果に応じた色補正を行うことを特徴とする。
【課題を解決するための手段】
【０００７】
本発明に係る画像表示装置は、カラー画像を表す入力側の色データの彩度を調整して、前記色データに対応する色データを出力する彩度調整部と、彩度調整された前記色データに基づいて画像を表示する画像表示手段と、前記画像表示手段の周囲光の明るさおよび色を検出し、検出結果を表す周囲光データとして前記画像表示手段の周囲光の赤、緑、青の３色の色相における各成分の大きさを表すデータを出力する周囲光検出手段を有し、前記周囲光検出手段の出力から周囲光に対する補正値を生成する周囲光補正部を備え、前記周囲光補正部は、周囲光の色相を赤、イエロー、緑、シアン、青、マゼンタの６色の色相に拡張する算出を行うとともに、算出した結果から前記画像表示手段の周囲光に対する周囲光補正値を演算および出力する機能を備え、前記彩度調整部は、前記周囲光補正値に基づいて前記入力側の色データの彩度を調整するものである。【０００８】
また、本発明に係る画像表示装置は、カラー画像を表す第１の色データの彩度を調整して、前記入力側の色データに対応する色データを出力する彩度調整部と、彩度調整された前記色データに基づいて画像を表示する画像表示手段と、前記画像表示手段の周囲光の明るさおよび色を検出し、検出結果を表す周囲光データとして、前記画像表示手段の周囲光の赤、緑、青の３色の色相における各成分の大きさを表すデータを出力する周囲光検出手段を有し、前記周囲光検出手段から周囲光に対する補正値を出力する周囲光補正部を備え、前記周囲光補正部は、前記周囲光データと基準光データの値を比較して比較データを算出するとともに、算出した結果から前記画像表示手段の周囲光に対する周囲光補正値を演算および出力する機能を備え、前記彩度調整部は、前記周囲光補正値に基づいて前記入力側の色データの彩度を調整するものである。
【発明の効果】
【０００９】
本発明によれば、周囲光検出手段から得られた赤、緑、青の色空間を赤、緑、青に加えシアン、マゼンタ、イエローと拡張することができ、それに伴い周囲光色解析をさらに詳細に行うことができるため、赤、緑、青の３つの色空間での周囲光色解析に比べ、様々な周囲光が存在する環境下で色の変化をより適切に捉え、周囲光補正を行うことができる。よって画像表示装置の色再現性をより改善し、視認性を向上させることができる。【００１０】
また、本発明によれば、周囲光の色変化を色温度変化に限定することで、より細かな周囲光の色変化にも対応し、それに応じた色補正を提供することができる。また、色補正に伴う補正係数を単純化することが出来る。よって少ない回路規模で周囲光の細かな色変化にも対応できるため、太陽光や室内用照明環境下での色再現性をより改善し、視認性を向上させることができる。
【図面の簡単な説明】
【００１１】
【図１】本発明の実施の形態１に係る画像表示装置を示すブロック図である。
【図２】６つの色相と演算項との関係を模式的に示す図である。
【図３】本発明の実施の形態２に係る画像表示装置を示すブロック図である。
【図４】本発明の実施の形態３に係る画像表示装置を示すブロック図である。
【発明を実施するための形態】
【００１２】
実施の形態１．
図１は、本発明に係る画像表示装置の一実施形態を示すブロック図である。図１に示す画像表示装置は、周囲光検出手段１、αβ算出手段２、有彩色成分データ算出手段３、演算項算出手段４、および補正係数演算手段５で構成される周囲光補正部と、色変換手段６、およびデータ変換手段７で構成される彩度調整部と、画像表示手段８とで構成される。
【００１３】
周囲光検出手段１は、色度センサ（カラーセンサ）、照度センサなどにより構成され、画像表示手段８の周囲を照明する周囲光の明るさ、赤、青、緑を検出し、検出結果を表す周囲光データＳｒ、Ｓｇ、Ｓｂを出力する。周囲光検出手段１で検出された周囲光データＳｒ、Ｓｇ、Ｓｂは、αβ算出手段２に入力、処理され、さらに有彩色成分データ算出手段３、演算項算出手段４、および補正係数演算手段５で処理される。
【００１４】
αβ算出手段２は、周囲光データＳｒ、Ｓｇ、Ｓｂの最大値βおよび最小値αを選択して出力する。最大値βおよび最小値αは、有彩色成分データ算出手段３に入力される。最小値αは補正係数演算手段５にも入力される。ここで、最小値αは、周囲光データＳｒ、Ｓｇ、Ｓｂに含まれる無彩色成分（グレイ成分）を表すデータである。
【００１５】
有彩色成分データ算出手段３は、周囲光データＳｒ、Ｓｇ、Ｓｂおよび最大値β、最小値αを用いて６つの有彩色成分データｒ、ｇ、ｂ、ｙ、ｍ、ｃを算出する。有彩色成分データｒ、ｇ、ｂ、ｙ、ｍ、ｃは、周囲光データＳｒ、Ｓｇ、Ｓｂにより表される色から無彩色成分を除いた色（有彩色）の赤、緑、青、イエロー、マゼンタ、シアンの各色成分の大きさを表すデータである。これらの有彩色データは、ｒ＝Ｓｒ−α、ｇ＝Ｓｇ−α、ｂ＝Ｓｂ−α、ｙ＝β−Ｓｂ、ｍ＝β−Ｓｇ、ｃ＝β−Ｓｒの減算処理により求められる。
【００１６】
有彩色成分データ算出手段３により出力された有彩色成分データｒ、ｇ、ｂ、ｙ、ｍ、ｃは演算項算出手段４に入力される。演算項算出手段４は、有彩色成分データｒ、ｇ、ｂ、ｙ、ｍ、ｃを用いて、赤、イエロー、緑、シアン、青、マゼンタの６つの各色相成分に有効な演算項ｈｒ、ｈｇ、ｈｂ、ｈｃ、ｈｍ、ｈｙを算出する。演算項ｈｒ、ｈｇ、ｈｂ、ｈｃ、ｈｍ、ｈｙは、以下の式（１）により算出される。ただし、（１）式において、
ｍｉｎ（Ａ，Ｂ）の形式は、ＡとＢのうち小さい方の値を表す。
【００１７】
【数１】
2015114852.tif 000003
【００１８】
図２（Ａ）〜（Ｆ）は、演算項ｈｒ、ｈｙ、ｈｇ、ｈｃ、ｈｂ、ｈｍと赤、イエロー、緑、シアン、青、マゼンタの６つの色相との関係を模式的に示した図である。図２に示すように、演算項ｈｒ、ｈｇ、ｈｂ、ｈｃ、ｈｍ、ｈｙは、それぞれ赤、緑、青、シアン、マゼンタ、イエローの色相において最大となり、他の色相においては大きさが０になる。すなわち、演算項ｈｒ、ｈｇ、ｈｂ、ｈｃ、ｈｍ、ｈｙは、周囲光データＳｇ、Ｓｂにおける赤、緑、青、シアン、マゼンタ、イエローの色相成分のみ有効な演算項と言える。
【００１９】
補正係数演算手段５は、下記式（２）に示す周囲光の影響を考慮していない色変換係数Ｆｉｊに対し、上記演算項ｈｒ、ｈｇ、ｈｂ、ｈｃ、ｈｍ、ｈｙと周囲光データＳｒ、Ｓｇ、Ｓｂ、最小値αを用いて色補正係数算出処理を行い、周囲光の影響を考慮した色変換係数Ｆ’ijを算出する。
【００２０】
【数２】
2015114852.tif 000004
【００２１】
上記式（２）において、ｆ１１、ｆ２１、ｆ３１は色変換手段６において第１の（入力側の）色データにおける赤を表現するための第２の色データＲ２、Ｇ２、Ｂ２の大きさをそれぞれ決定するための係数である。同様に、ｆ１２、ｆ２２、ｆ３２は緑、ｆ１３、ｆ２３、ｆ３３は青、ｆ１４、ｆ２４、ｆ３４はシアン、ｆ１５、ｆ２５、ｆ３５はマゼンタ、ｆ１６、ｆ２６、ｆ３６はイエローを表現するための第２の色データＲ２、Ｇ２、Ｂ２の大きさをそれぞれ決定するための係数である。よって、例えばｆ１１の値を大きくするか、もしくはｆ２１、ｆ２２の値を小さくすることにより、表示される赤の彩度を強めることができる。一般に、当該色における原色成分に関わる係数の値を大きく、または補色成分に関わる係数を小さくすることにより、当該色の彩度を強めることができる。また、係数の変化量が大きいほど、彩度の調整量は大きくなる。ただし、無彩色の階調表現能力の低下を避けるため、第１の色データが無彩色を表すデータである場合に演算処理を行わないことを考慮すると、無彩色成分を表すαに対する係数は０となる。
【００２２】
補正係数演算手段５においては、色変換係数Ｆｉｊから演算項ｈｒ、ｈｇ、ｈｂ、ｈｃ、ｈｍ、ｈｙと周囲光データＳｒ、Ｓｇ、Ｓｂ、最小値αを用いて周囲光の影響を考慮した色変換係数Ｆ’ijを算定し、周囲光の影響を考慮した色変換係数Ｆ’ｉｊの値を決定る。
【００２３】
例えば、演算項算出手段４で周囲光が赤い成分が多い光である（ｈｒが大きい場合）と判定される場合には、赤と補色関係となるシアンの彩度を最も強くし、次いで緑および青、次にイエローおよびマゼンタ、最後に赤の順の大きさにて彩度を強めることが考えられる。すなわち、赤から色相が離れる色ほど彩度を強める。この際、色相についても同時に調整することが考えられる。また、上記の場合には、鑑賞者に知覚されるイエローは赤みの強いイエロー（オレンジ）となることが判定され、これを補正するために表示するイエローは赤みの弱い色とする。この場合、上記の式（２）において、ｆ１６の値を小さくし、またはｆ２６の値を大きくし、またはこれらをともに行う（ｆ１６の値を小さくするとともに、ｆ２６の値を大きくする）。
【００２４】
さらに、周囲光強度が大きくなるような場合（周囲光データＳｒ、Ｓｇ、Ｓｂの合計値が大きくなる場合）は上記補正を強める処理を行う。
【００２５】
補正係数演算手段５で得られた色変換係数Ｆ’ｉｊは、彩度調整部へと入力される。色変換係数Ｆ’ｉｊは、色変換手段６に入力され、第１の色データＲ１、Ｇ１、Ｂ１に対して、色変換処理を行い、第２の色データＲ２、Ｇ２、Ｂ２を得、さらにデータ変換手段７により処理を行った後、第３の（彩度調整された）色データＲ３、Ｇ３、Ｂ３として画像表示手段８に入力され、画面上にカラー画像が表示される。
【００２６】
本実施の形態の画像表示装置において、第１の色データは、それぞれ赤、緑、青の色成分の大きさを表す形式の色データＲ１、Ｇ１、Ｂ１として入力される。色変換手段６では、補正係数演算手段からの色変換係数Ｆ’ｉｊ（ｉ行ｊ列の係数行列）を用い、入力される第１の色データＲ１、Ｇ１、Ｂ１に対して色変換処理を行って第２の色データＲ２、Ｇ２、Ｂ２を求める。色変換手段６にて行われる色変換処理は、例えば下記の式（３）にて表されるマトリクス演算により行われる。
【数３】
2015114852.tif 000005
【００２７】
上記式（３）に示すマトリクス演算によれば、赤、イエロー、緑、シアン、青、マゼンタの６つの色相成分および無彩色における補正値をそれぞれ独自に調整することができる。ｈｒ’  ｈｇ’  ｈｂ’  ｈｃ’  ｈｍ’  ｈｙ’α’はそれぞれ第１の色データＲ１、Ｇ１、Ｂ１から（１）式を用いて計算した演算項である。
【００２８】
第２の色データＲ２、Ｇ２、Ｂ２は、データ変換手段７へと入力される。データ変換手段７では、第２の色データＲ２、Ｇ２、Ｂ２を第３の色データＲ３、Ｇ３、Ｂ３へと変換する。データ変換手段７にて行われる変換は、例えば下記の式（４）にて表される所定のマトリクス演算により行われる。
【数４】
2015114852.tif 000006
【００２９】
なお、上記式（４）において、Ｄｉｊは入力される第１の色データの従う色空間、または画像表示手段８の特性を考慮して決定されるｉ行ｊ列のマトリクス係数行列であり、ｉ＝３、ｊ＝３である。変換された第３の色データＲ３、Ｇ３、Ｂ３は、画像表示手段８へと入力され、画面上にカラー画像が形成される。
【００３０】
以上のように、本実施の形態に係る画像表示装置によれば、周囲光の色を検出し、さらにその周囲光成分の色空間を拡張することで、周囲光の色に応じた細かな色補正を実現することができ、画像表示装置のさらなる色再現性の改善が可能となる。
【００３１】
実施の形態２．
図３は、本実施の形態に係る画像表示装置の実施形態を示すブロック図である。図中、図１と共通する要素には、図１と同じ符号を付すことにより、詳細な説明を省略する。図３に示す画像表示装置は、周囲光検出手段１、基準光源値差データ算出手段９、およびマトリクス演算手段１０からなる周囲光補正部と、入力信号補正手段１１、色変換手段６、およびデータ変換手段７からなる彩度調整部と、画像表示手段８から構成される。
【００３２】
周囲光検出手段１は、画像表示手段８の周囲を照明する周囲光の明るさに加え、色も検出する。具体的には、例えば周囲光検出手段１は、赤、緑、青の３色のカラーセンサなどにより構成され、周囲光における赤、緑、青の色成分の大きさを検出し、検出結果を表す周囲光データＳｒ、Ｓｇ、Ｓｂを出力する。ここで、周囲光データＳｒは、検出された周囲光の赤成分の大きさを表すデータ、Ｓｇは緑成分の大きさを表すデータ、Ｓｂは青成分の大きさを表すデータである。
【００３３】
基準光源値差データ算出手段９は、周囲光データＳｒ、Ｓｇ、Ｓｂの値と基準光源値Ｍｒ、Ｍｇ、Ｍｂの比との差に基づいた、比較データｒ、ｇ、ｂを出力する。マトリクス演算手段１０において、比較データｒ、ｇ、ｂと色補正係数Ｈｉｊから周囲光補正値Ｒ、ＧＢを決定する。
【００３４】
周囲光データＳｒ、Ｓｇ、Ｓｂは、それぞれ周囲光の赤、緑、青成分の大きさを表すデータである。ここで、基準となる光の赤、緑、青成分の構成比（Ｍｒ、Ｍｇ、Ｍｂ）をあらかじめ保持しておき、得られた周囲光データＳｒ、Ｓｇ、Ｓｂの周囲光構成比と比較を行う。例えば、周囲光データＳｒの値がＭｒと比較して大きい場合、周囲光の色温度は低く、赤みの強い光であると考えられる。この場合、知覚色としても赤みが強くなるため、色補正係数Ｈｉｊとしては、赤と比較して緑および青の彩度をより強めるような係数とする。また、周囲光データＳｒ、Ｓｇ、Ｓｂの総和（もしくは重みづけ加算した値）が周囲光の明るさを表すと考えられる。したがって、周囲光データＳｒ、Ｓｇ、Ｓｂの総和が大きいほど、より彩度を強めるような係数とする。色補正係数Ｈｉｊは以下の（５）式のように表すことができる。
【００３５】
【数５】
2015114852.tif 000007
【００３６】
上記式（５）において、ｆ１１、ｆ２１、ｆ３１は周囲光の色データにおける赤に応じた補正を実現するための周囲光補正値Ｒ、Ｇ、Ｂの大きさをそれぞれ決定するための係数である。またｆ１２、ｆ２２、ｆ３２は周囲光の色データにおける緑に応じた補正を実現するための周囲光補正値Ｒ、Ｇ、Ｂの大きさ、ｆ１３、ｆ２３、ｆ３３は周囲光の色データにおける青に応じた補正を実現するための周囲光補正値Ｒ、Ｇ、Ｂの大きさをそれぞれ決定するための係数である。
【００３７】
基準光源値差データ算出手段９においては、周囲光データＳｒ、Ｓｇ、Ｓｂの値から基準光との赤、緑、青色光の成分比と比較することで周囲光の色温度を算定し、またＳｒ、Ｓｇ、Ｓｂの合計値から明るさを算定する。
【００３８】
マトリクス演算手段１０においては、得られた比較データｒ、ｇ、ｂと明るさに基づいて赤、緑、青の彩度調整量を決定し、色補正係数Ｈｉｊの値を決定し、周囲光補正値Ｒ、Ｇ、Ｂを出力する。
【００３９】
ここで上記の例では、基準光に対し周囲光は赤みの強い光（色温度が低い光）であると判定される場合には、赤と比較して緑および青の彩度をより強めるような補正係数とすることを述べたが、周囲光が非常に明るい場合には、周囲光の色への順応効果が強くなることが考えられる。この場合には赤、緑、青の彩度を一様に強めるもしくは、緑および青と比較して赤の彩度をより強めるような係数とすることも考えられる。
【００４０】
入力信号補正手段１１において、第１の（入力側の）色データＲ１、Ｇ１、Ｂ１と上記マトリクス演算手段９で得られた周囲光補正値Ｒ、Ｇ、Ｂを（６）式に示すようにそれぞれ合算する。
【００４１】
【数６】
2015114852.tif 000008
【００４２】
上記で得られた色データＲ２、Ｇ２、Ｂ２から色変換処理を行い、データＲ３、Ｇ３、Ｂ３を得、さらにデータ変換手段７により処理を行った後、第４の（彩度調整された）色データＲ４、Ｇ４、Ｂ４として画像表示手段８に入力され、画面上にカラー画像が表示される。
【００４３】
以上のように、本実施の形態に係る画像表示装置によれば、基準光値からの差を検出することで、周囲光の色温度を算定し、赤みを帯びた白色光、青みを帯びた白色光といった周囲光の色温度変化を検出し、それに応じた色補正値を提供し、これらの周囲光の色温度変化に応じた補正を行うことで画像表示装置の色再現性の改善が可能となる。
【００４４】
実施の形態３．
図４は、本実施の形態に係る画像表示装置を示すブロック図である。図中、図１および図２と共通する要素には、図１および図２と同じ符号を付すことにより、詳細な説明を省略する。図４に示す画像表示装置は、周囲光検出手段１ｃ、基準光源値差データ算出手段９、彩度明度値取得手段１２、およびマトリクス演算手段１０からなる周囲光補正部と、入力信号補正手段１１、色変換手段６、およびデータ変換手段７からなる彩度調整部と、画像表示手段８とから構成される。
【００４５】
周囲光検出手段１ｃは、赤、緑、青の３色のカラーセンサなどにより構成され、周囲光における赤、緑、青の色成分の大きさを検出し、検出結果を表す周囲光データＳｒ、Ｓｇ、Ｓｂを出力する。ここで、周囲光データＳｒは、検出された周囲光の赤成分の大きさを表すデータ、Ｓｇは緑成分の大きさを表すデータ、Ｓｂは青成分の大きさを表すデータである。
【００４６】
基準光源値差データ算出手段９は、周囲光データＳｒ、Ｓｇ、Ｓｂの値と基準光源値Ｍｒ、Ｍｇ、Ｍｂの比との差に基づいた、比較データｒ、ｇ、ｂを出力する。彩度明度値取得手段１２には、第１の（入力側の）色データＲ１、Ｇ１、Ｂ１における彩度および明度の値を、第１の色データＲ１、Ｇ１、Ｂ１から取得し、マトリクス演算手段１０へと彩度値Ｃａおよび明度値Ｃｂを渡す。また、周囲光検出手段１ｃでは、赤、緑、青の色成分の他に周囲光成分の明るさを検出し、マトリクス演算手段１０へ周囲光明度値Ｂｒを渡す。マトリクス演算手段１０において、比較データｒ、ｇ、ｂと色補正係数Ｆｉｊ、彩度値Ｃａ、明度値Ｃｂおよび周囲光明度値Ｂｒから周囲光補正値Ｒ、Ｇ、Ｂを決定する。
【００４７】
周囲光検出手段１ｃでは、周囲光の赤成分の大きさを表すデータＳｒ、周囲光の緑成分の大きさを表すデータＳｇ、周囲光の青成分の大きさを表すデータＳｂのほかに、周囲光の明るさを表すデータである周囲光明度値Ｂｒを検出するセンサまたは、各成分の合計値から周囲光の明るさを表すデータである周囲光明度値Ｂｒを算出する手段を備え、周囲光明度値Ｂｒ、周囲光データＳｒ、Ｓｇ、Ｓｂを出力する。
【００４８】
基準光源値差データ算出手段９においては、周囲光データＳｒ、Ｓｇ、Ｓｂの値から基準光との赤、緑、青色光の成分比と比較することで周囲光の色温度を算定、またＳｒ、Ｓｇ、Ｓｂの合計値から明るさを算定する。
【００４９】
マトリクス演算手段１０においては、得られた比較データｒ、ｇ、ｂと周囲光明度値Ｂｒ、彩度値Ｃａと明度値Ｃｂから、前記（５）式の色補正係数Ｆｉｊの値を決定し、周囲光補正値Ｒ、Ｇ、Ｂを出力する。
【００５０】
例えば、通常画像表示手段８の周囲光への影響は、画像表示手段８が表示している色データの彩度、明度が大きいほど小さい。すなわち彩度値Ｃａ、明度値Ｃｂが大きくなるに従い前記補正値をより大きいものにする。また同様に、画像表示手段８の周囲光への影響は、画像表示手段８の周囲光の明るさが大きいほど大きい。よって、周囲光明度Ｂｒが大きくなるに従って前記補正値を大きいものにする。
【００５１】
以上のように、本実施の形態に係る画像表示装置によれば、周囲光の明るさおよび色に加え第１の（入力側の）色データの彩度および明度値を補正値算出に用いることで、周囲光および第１の色データに応じた周囲光補正を行うことができ、画像表示装置のさらなる色再現性の改善が可能となる。
【００５２】
以上、この発明を実施の形態により説明したが、この発明は、その発明の範囲内において、各実施の形態を組合わせたり、各実施の形態を適宜、変形または省略することが可能である。
【符号の説明】
【００５３】
１、１ｃ  周囲光検出手段、２  αβ算出手段、
３  有彩色成分データ算出手段、４  演算項算出手段、
５  補正係数演算手段、６  色変換手段、７  データ変換手段、
８  画像表示手段、９  基準光源値差データ算出手段、
１０  マトリクス演算手段、１１  入力信号補正手段、
１２  彩度明度値取得手段。  
【図１】
2015114852.tif 000009
【図２】
2015114852.tif 000010
【図３】
2015114852.tif 000011
【図４】
2015114852.tif 000012
【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
カラー画像を表す入力側の色データの彩度を調整して、前記色データに対応する色データを出力する彩度調整部と、彩度調整された色データに基づいて画像を表示する画像表示手段と、前記画像表示手段の周囲光の明るさおよび色を検出し、検出結果を表す周囲光データとして前記画像表示手段の周囲光の赤、緑、青の３色の色相における各成分の大きさを表すデータを出力する周囲光検出手段を有し、前記周囲光検出手段の出力から周囲光に対する補正値を生成する周囲光補正部を備え、前記周囲光補正部は、周囲光の色相を赤、イエロー、緑、シアン、青、マゼンタの６色の色相に拡張する算出を行うとともに、当該算出にて得られた前記６色の各色相成分に有効な６つの演算項を算出し、前記６つの演算項を用いて前記画像表示手段の周囲光に対する周囲光補正値を演算および出力する機能を備え、前記彩度調整部は、前記周囲光補正値に基づいて前記入力側の色データの彩度を調整することを特徴とする画像表示装置。
【請求項２】
カラー画像を表す入力側の色データの彩度を調整して、前記色データに対応する色データを出力する彩度調整部と、彩度調整された色データに基づいて画像を表示する画像表示手段と、前記画像表示手段の周囲光の明るさおよび色を検出し、検出結果を表す周囲光データとして、前記画像表示手段の周囲光の赤、緑、青の３色の色相における各成分の大きさを表すデータを出力する周囲光検出手段を有し、前記周囲光検出手段の出力から周囲光に対する補正値を出力する周囲光補正部を備え、前記周囲光補正部は、前記周囲光データと基準光データの値を比較して比較データを算出するとともに、当該算出にて得られた比較データを用いて前記画像表示手段の周囲光に対する周囲光補正値を演算および出力する機能を備え、前記彩度調整部は、前記周囲光補正値に基づいて前記入力側の色データの彩度を調整することを特徴とする画像表示装置。
【請求項３】
前記周囲光補正部は、前記周囲光が明るくなるに従って前記補正値をより大きいものにすることを特徴とする請求項１または２に記載の画像表示装置。
【請求項４】
前記周囲光補正部は、前記入力側の色データの彩度が大きくなるに従って前記補正値を小さいものにすることを特徴とする請求項１または２に記載の画像表示装置。
【請求項５】
前記周囲光補正部は、前記入力側の色データの明度が大きくなるに従って前記補正値を小さいものにすることを特徴とする請求項１または２に記載の画像表示装置。
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
カラー画像を表す入力側の色データの彩度を調整して、前記色データに対応する色データを出力する彩度調整部と、彩度調整された色データに基づいて画像を表示する画像表示手段と、前記画像表示手段の周囲光の明るさおよび色を検出し、検出結果を表す周囲光データとして前記画像表示手段の周囲光の赤、緑、青の３色の色相における各成分の大きさを表すデータを出力する周囲光検出手段を有し、前記周囲光検出手段の出力から周囲光に対する補正値を生成する周囲光補正部を備え、前記周囲光補正部は、周囲光の色相を赤、イエロー、緑、シアン、青、マゼンタの６色の色相に拡張する算出を行うとともに、当該算出にて得られた前記６色の各色相成分に有効な６つの演算項を算出し、前記６つの演算項を用いて前記画像表示手段の周囲光に対する周囲光補正値を演算および出力する機能を備え、前記彩度調整部は、前記周囲光補正値に基づいて前記入力側の色データの彩度を調整することを特徴とする画像表示装置。
【請求項２】
前記周囲光補正部は、前記周囲光が明るくなるに従って前記補正値をより大きいものにすることを特徴とする請求項１に記載の画像表示装置。
【請求項３】
前記周囲光補正部は、前記入力側の色データの彩度が大きくなるに従って前記補正値を小さいものにすることを特徴とする請求項１に記載の画像表示装置。
【請求項４】
前記周囲光補正部は、前記入力側の色データの明度が大きくなるに従って前記補正値を小さいものにすることを特徴とする請求項１に記載の画像表示装置。
【国際調査報告】
2015114852.tif 000013
2015114852.tif 000014
2015114852.tif 000015
2015114852.tif 000016
2015114852.tif 000017
2015114852.tif 000018
2015114852.tif 000019
2015114852.tif 000020